(57)【要約】【課題】  無線基地局装置の試験を自動化し、試験工数の削減、品質の向上を目指した無線基地局装置の試験システムを提供すると共に、擬似ＭＳを複数台使用することで、運用状態に近い試験環境で試験を実施することができ、様々な組み合わせ試験の実施が可能になり、より品質の向上を図ることができる無線基地局装置の試験システムを提供する。【解決手段】  無線基地局装置を試験する試験システムにおいて、携帯電話機を模擬した擬似ＭＳと、基地局制御装置を模擬した擬似ＲＮＣと、前記擬似ＭＳ、前記擬似ＲＮＣ、及び前記無線基地局装置を制御し、所定の測定結果を取得する手段と、前記測定結果を解析する手段とを備えた。【選択図】  図１
2008199199.tif 000002
【特許請求の範囲】
【請求項１】
無線基地局装置を試験する試験システムであって、
携帯電話機を模擬した擬似ＭＳと、
基地局制御装置を模擬した擬似ＲＮＣと、
前記擬似ＭＳ、前記擬似ＲＮＣ、及び前記無線基地局装置を制御し、所定の測定結果を取得する手段と、
前記測定結果を解析する手段と
を備えてなる無線基地局装置試験システム。
【発明の詳細な説明】
【技術分野】
【０００１】
本発明は、無線基地局装置試験システムに関し、特にＷ−ＣＤＭＡ(Wide band-Code Division Multiple Access)を用いた移動体通信における無線基地局装置の試験システムに関する。
【背景技術】
【０００２】
近年、ＣＤＭＡ方式の携帯電話の加入者が増加しており、同様に無線基地局の設置も急速に進んでいる。このような状況において、無線基地局の機能も複雑になりつつあると共に、品質の更なる向上も求められており、無線基地局装置の確認試験では様々な試験が実施されている。
【０００３】
図３は、従来の試験システムを示す全体ブロック図である。図３に示す従来の試験システムは、ＢＴＳ（Base Transfer Station）１０１、ＢＴＳ１０１とＡＴＭ／ＩＰを介して接続されている擬似ＲＮＣ(Radio Network Controller)１０２、擬似ＲＮＣ１０２とＥｔｈｅｒｎｅｔ（登録商標）を介して接続され、擬似ＲＮＣ１０２を制御する擬似ＲＮＣコントローラ１０４、ＢＴＳ１０１と無線信号（有線）を介して接続されている擬似ＭＳ１０３、擬似ＭＳ１０３とＥｔｈｅｒｎｅｔを介して接続され、擬似ＭＳ１０３を制御する擬似ＭＳコントローラ１０５、およびＢＴＳ１０１とＥｔｈｅｒｎｅｔを介して接続され、ＢＴＳ１０１のＬｏｇデータ（ログファイル１１０）を取得するためのメンテナンスツールＰＣ１０６で構成される。
【０００４】
従来、擬似ＲＮＣコントローラ１０４で各試験の設定が保存されている実行ファイル１０７と、各試験で使用するメッセージのシナリオファイル１０８を使用して擬似ＲＮＣ１０２を制御し、該擬似ＲＮＣ１０２とＢＴＳ１０１と接続し、これらの間でメッセージの送受信を行っていた。
【０００５】
また、擬似ＭＳコントローラ１０５で各試験の設定が保存されているスクリプトファイル１０９を使用して擬似ＭＳ１０３を制御し、無線チャネルの設定、メッセージの送受信を手動で順番に行っていた。また、ＢＴＳ１０１とＥｔｈｅｒｎｅｔでメンテナンスツールＰＣ１０６を接続して、ＢＴＳ１０１で出力されるＬｏｇデータの取得開始、停止を手動で行っていた。
【０００６】
各試験の結果判定は、擬似ＲＮＣコントローラ１０４、擬似ＭＳコントローラ１０５、メンテナンスツールＰＣ１０６の各出力結果を元に判定している。すなわち、擬似ＲＮＣコントローラ１０４で、上り信号のビットエラーレートがフリーであるか、ＢＴＳ１０１と擬似ＲＮＣ１０２間で正常にメッセージが送受信されているかを確認している。
【０００７】
また、擬似ＭＳコントローラ１０５で、下り信号のビットエラーレートがフリーであるか、ＢＴＳ１０１と無線信号（有線）で接続されている擬似ＭＳ１０３間の同期が確立されているかを確認している。さらに、メンテナンスツールＰＣ１０６で、ＢＴＳ１０１での各種測定結果を確認している。
【０００８】
そして、これらが全て正常であった場合、試験結果：正常と判定し、１つでも正常ではない結果があった場合、試験結果：ＮＧと判定していた。
【０００９】
なお、本発明の従来技術に関連する技術としては、複数の擬似ＭＳ、擬似ＲＮＣと試験対象の無線基地局をＥｔｈｅｒｎｅｔで接続して、一台のＰＣから集中的に試験を行う技術が知られている（例えば特許文献１参照）。
【特許文献１】特開２００１−３５９１４２号公報
【発明の開示】
【発明が解決しようとする課題】
【００１０】
しかしながら、このような試験においては、その試験項目数が多く、さらに擬似ＲＮＣ、擬似ＭＳを手動で順番に操作して試験を実施しているため、夫々の試験においてより多くの試験工数がかかるという問題が生じている。
一方、現在の試験においては、１台の無線基地局装置に対して、１台の擬似ＭＳを接続しての試験が多くなる結果、運用状態に近い複数ユーザに対しての試験が不十分になってしまうという問題もある。
【００１１】
本発明の目的は、無線基地局装置の試験を自動化し、試験工数の削減、品質の向上を目指した無線基地局装置の試験システムを提供すると共に、擬似ＭＳを複数台使用することで、運用状態に近い試験環境で試験を実施することができ、様々な組み合わせ試験の実施が可能になり、より品質の向上を図ることができる無線基地局装置の試験システムを提供することを目的とする。
【課題を解決するための手段】
【００１２】
本発明は、無線基地局装置を試験する試験システムであって、携帯電話機を模擬した擬似ＭＳと、基地局制御装置を模擬した擬似ＲＮＣと、前記擬似ＭＳ、前記擬似ＲＮＣ、及び前記無線基地局装置を制御し、所定の測定結果を取得する手段と、前記測定結果を解析する手段とを備えてなるものである。
【００１３】
また、本発明の実施の形態における試験システムにおいて、前記擬似ＭＳを複数台接続し、前記無線基地局装置に対してシナリオ送出、及び測定結果の取得を行うようにすることができる。
【発明の効果】
【００１４】
本発明によれば、無線基地局装置の試験を自動化し、試験工数の削減、品質の向上を目指した無線基地局装置の試験システムを提供すると共に、擬似ＭＳを複数台使用することで、運用状態に近い試験環境で試験を実施することができ、様々な組み合わせ試験の実施が可能になり、より品質の向上を図ることができる無線基地局装置の試験システムを提供することができるという効果を奏する。
【発明を実施するための最良の形態】
【００１５】
以下、本発明の実施の形態について、図面を参照して詳細に説明する。図１は、本発明の実施の形態に係る基地局装置の試験システム図である。
【００１６】
図１に示す本発明の試験システムは、ＢＴＳ２０１、ＢＴＳ２０１とＴＭ／ＩＰを介して接続されている擬似ＲＮＣ２０２、ＢＴＳ２０１と無線信号（有線）を介して接続されている擬似ＭＳ２０３−１（〜２０３−ｎ（複数台使用時））、および擬似ＲＮＣ２０２を制御する機能、擬似ＭＳ２０３−１（〜２０３−ｎ（複数台使用時））を制御する機能、およびＢＴＳ２０１のＬｏｇデータ取得機能を備えた自動測定システムＰＣ２０４で構成されている。
【００１７】
以下、実施の形態の動作について、図１と共に図２に示す自動化試験フローチャートを用いて説明する。
【００１８】
まず、自動測定システム起動時に設定情報等を読み込み、初期化を行う（３０１）。初期化完了後、ＢＴＳ２０１、擬似ＲＮＣ２０２、擬似ＭＳ２０３−１（〜２０３−ｎ（複数台使用時））と接続を行う（３０２）。次に試験を実施する（コマンド群で作成された）検査ファイル２０６を選択し（３０３）、試験実施順に並べ、試験を開始する（３０４）。
【００１９】
試験開始時、検査ファイル２０６が存在するか判別し（３０５）、検査ファイル２０６が存在すれば、最初の検査ファイル２０６が読み込まれ（３０６）、検査ファイル２０６が存在しなければ、試験を終了する。
【００２０】
検査ファイル２０６が存在し、検査ファイル２０６が読み込まれると、各試験結果を保存するＲｅｓｕｌｔファイル２０９、各試験時のログを保存するＬｏｇファイル２０１、各試験の結果判定を行うＪｕｄｇｅファイル２１１が生成される（３０７）。
【００２１】
試験は検査ファイル２０６の開始コマンドで、試験動作を選択でき、１）検査ファイルに並べられた動作コマンド順に実行、２）測定値が一定値に達するまで決められた動作コマンドで繰り返し実行、３）一定回数に達するまで決められた動作コマンドで繰り返し実行、が選択できる。
【００２２】
選択したコマンドを実行すると、擬似ＲＮＣでは自動測定システムＰＣ２０４で指定した実行ファイル２０５が実行され、実行ファイル２０５で指定されたシナリオファイル２０７のシナリオが動作する。
【００２３】
また、擬似ＭＳ２０３−１（〜２０３−ｎ（複数台使用時））では自動測定システムＰＣ２０４で指定したスクリプトファイル２０８が実行される。これらのファイルを実行し、各擬似シミュレータの呼設定を行う。
【００２４】
なお、擬似ＭＳを複数台使用する場合、設定する呼が複数となるため、実行ファイル２０５、シナリオファイル２０７、スクリプトファイル２０８が設定呼数分必要となり、各呼に対して、それぞれのファイルを実行する。なお、試験中は、Ｌｏｇファイル２１０において各種Ｌｏｇを取得する（３０８）。
【００２５】
各試験の結果判定は、呼毎に、擬似ＲＮＣ２０２での上り信号のビットエラーレートがフリーであるか、ＢＴＳ２０１と擬似ＲＮＣ２０２間で正常なメッセージ送受信がされているか、擬似ＭＳ２０３−１（〜２０３−ｎ（複数台使用時））での下り信号のビットエラーレートがフリーであるか、ＢＴＳ２０１と無線信号（有線）で接続されている擬似ＭＳ２０３−１（〜２０３−ｎ（複数台使用時））間の同期状態を自動測定システムＰＣ２０４で収集し判定する。
【００２６】
また、ＢＴＳ２０１での各種測定結果も確認する。これが全て正常であった場合、試験結果を正常と判定し、１つでも正常ではない結果があった場合、試験結果をＮＧと判定する。
【００２７】
結果判定が完了すると、試験結果をＲｅｓｕｌｔファイル２０９に書き込む（３０９）。このとき、検査内容ごと（検査種類別）に分割してＲｅｓｕｌｔファイル２０９を格納する。さらに、試験結果を画面に出力し（３１０）、次の検査ファイルの試験が開始される。以降の試験は、検査ファイルの有無判定（３０５）から最初の試験と同様の処理手順で試験が実行される。
【００２８】
上記のように、自動測定システムＰＣ２０４で、ＢＴＳ２０１、擬似ＲＮＣ２０２、擬似ＭＳ２０３−１（複数台使用する場合は〜２０３−ｎ）を制御することで、自動で試験を実施することが可能となる。
【００２９】
本実施の形態によれば、試験を自動で進めることができ、試験工数の削減が得られる。また、試験方法も検査ファイルの内容により、様々な試験に対応することができ、既存の試験、今後の試験に柔軟に対応できるようになる。さらに、試験結果も試験ログ、結果ファイルをＰＣ内に保存することができ、結果確認の時間も短縮することができる。
【図面の簡単な説明】
【００３０】
【図１】本発明の実施の形態を示すブロック図である。
【図２】本発明の実施の形態の動作を示すフローチャートである。
【図３】従来の試験システムを示すブロック図である。
【符号の説明】
【００３１】
２０１  ＢＴＳ、２０２  擬似ＲＮＣ、２０３−１  擬似ＭＳ２０３−１（〜２０３−ｎ）、２０４  自動測定システムＰＣ。
【図１】
2008199199.tif 000003
【図２】
2008199199.tif 000004
【図３】
2008199199.tif 000005